(57)【要約】  本発明は、レシーバ（２０３）、ディローテータ（２０６）、復調器（２０８）及びプロセッサ（２１２）を有する移動通信装置（２００）に関する。レシーバ（２０３）は、ディローテータ（２０６）と接続され、ディローテータ（２０６）は復調器（２０８）に接続され、コントローラ（２１２）はレシーバ（２０３）、ディローテータ（２０６）及び復調器（２０８）に接続される。ディローテータ（２０６）は、時空間符号化に基づく送信ダイバーシティ送信モードにおけるプライマリ共通制御物理チャネル、パイロットシンボル、クローズドループ送信モードにおけるシンボルを処理する手段と、時間的に整然とされた順序で復調器にシンボルを出力する手段とを有する。これら手段は、汎用のディローテータを使用可能とするために直列に接続される。循環解除方法は、ＳＴＴＤ送信モード中のＰ−ＣＣＰＣＨを処理するステップ（１００２）と、パイロットシンボルを処理するステップ（１００４）と、クローズドループ送信モードにおいてシンボルを処理するステップ（１００６）と、時間的に整然とされた順序でシンボルを出力するステップ（１００８）とを有する。
2007515888.tif 000002
【特許請求の範囲】
【請求項１】
レシーバ、ディローテータ、復調器及びプロセッサを有する移動通信装置であって、前記レシーバは、前記ディローテータと接続され、前記ディローテータは前記復調器に接続され、コントローラは前記レシーバ、ディローテータ及び復調器に接続され、前記ディローテータは、
時空間符号化に基づく送信ダイバーシティ送信モードにおけるプライマリ共通制御物理チャネルを処理する第１の手段と、
パイロットシンボルを処理する第２の手段と、
クローズドループ送信モードにおけるシンボルを処理する第３の手段と、
時間的に整然とされた順序で前記復調器にシンボルを出力する第４の手段と、
を有し、
前記第１、第２、第３及び第４の手段は、直列に接続されている、
装置。
【請求項２】
請求項１に記載の移動通信装置であって、前記第１の手段は、時空間符号化に基づく送信ダイバーシティ送信モードにおけるプライマリ共通制御物理チャネルに関連したシンボル以外のシンボルに対しトランスペアレントである、装置。
【請求項３】
請求項１又は２に記載の移動通信装置であって、前記第１の手段は、時空間符号化に基づく送信ダイバーシティ送信モードにおける各スロットに係るプライマリ共通制御物理チャネルに関連した第１のシンボルを削除するように構成されている、装置。
【請求項４】
請求項１，２又は３に記載の移動通信装置であって、前記第２の手段は、パイロットシンボル以外のシンボルに対しトランスペアレントである、装置。
【請求項５】
請求項１ないし４のうちいずれか１つに記載の移動通信装置であって、前記第３の手段は、クローズドループ送信モード以外の送信モードにおいてトランスペアレントである、装置。
【請求項６】
請求項１ないし５のうちいずれか１つに記載の移動通信装置であって、前記ディローテータは、複数の２ポジションスイッチを有する、装置。
【請求項７】
移動通信装置における受信シンボルの循環解除方法であって、
時空間符号化に基づく送信ダイバーシティ送信モードにおけるプライマリ共通制御物理チャネルを処理するステップと、
パイロットシンボルを処理するステップと、
クローズドループ送信モードにおけるシンボルを処理するステップと、
時間的に整然とされた順序でシンボルを出力するステップと、
を有する方法。
【請求項８】
請求項７に記載の方法であって、前記時空間符号化に基づく送信ダイバーシティ送信モードにおけるプライマリ共通制御物理チャネルを処理するステップは、時空間符号化に基づく送信ダイバーシティ送信モードにおける各スロットのプライマリ共通制御物理チャネルに関連した第１のシンボルを削除することを含む、方法。
【請求項９】
請求項７又は８に記載の方法であって、前記パイロットシンボルを処理するステップは、
２つのパイロットシンボルを加算するステップと、
前記２つのパイロットシンボルの加算値を２で除算するステップと、
により圧縮モードを処理することを含む、
方法。
【請求項１０】
請求項７，８又は９に記載の方法であって、前記シンボルを出力するステップは、送信ダイバーシティが存在するときに当該シンボルを２で除算することを含む、方法。
【発明の詳細な説明】
【技術分野】
【０００１】
本発明は、ディジタル移動通信システムにおける受信信号を処理する方法及び受信機に関する。
【背景技術】
【０００２】
ＵＭＴＳにおいては複数の伝送モードが設けられている。通常伝送モードでは、伝送情報を表すデータビットが時間的に整然とした順序でノードＢの１つのアンテナから送られる。オープンループ伝送ダイバーシティモードにおいては、伝送情報を表すデータビットがノードＢの２つのアンテナから送られ、この２つのアンテナから異なる時間的順序で送られる。クローズドループ伝送ダイバーシティモード１及び２では、伝送情報を表すデータビットがノードＢの２つのアンテナの各々から時間的に整然とした順序で送られるが、これらビットは、アンテナ毎に別々に重み付けされる。かかる伝送情報は、多数のタイプがあり、各々が当該伝送モードによるそれ自身の特別な時間的順序の付け直しを有する。
【０００３】
受信側において、ユーザ機器（ＵＥ；User Equipment）は当該種々のタイプの情報の伝送モードの全てを扱わなければならない。これは、或る伝送モードにおいて或るタイプの情報を扱うように各々が適合された複数の受信パスを実現することによって達成可能である。しかしながら、並列処理パスは、より大なる回路領域を使い、より多くの電力を消費しかつコストを増大させることになる。国際特許出願に係る文献のＷＯ０１／０６６９５Ａ１は、オープルループ伝送ダイバーシティモードにおいてチャネル推定値を生成するためパイロット信号をどのようにして受信し取り扱うかの例を開示している。ＷＯ０１／０６６９５の問題は、パイロットシンボルが存在するとき及びオープンループ伝送ダイバーシティ伝送モードの期間よりも多く処理をすることができないことである。ＷＯ０１／０６６９５に開示されているようなもので他の取り扱いを要求する他の伝送モード及びチャネルタイプのための多数の方策は、ＵＥにおいて並列に実現されなければならない。小型にしなければならないことや低消費電力としなければならないというＵＥの要求は、ＵＥのコスト条件を考えると、多数の受信パスの面から充足し難い。ユニバーサルモバイルテレコミュニケーションシステム（ＵＭＴＳ），リリース９９（Ｒ９９）規格のための周波数分割多重（ＦＤＤ）用の種々の伝送モードは、受信信号の復調のために種々の処理を必要とする。種々のモードのためのこうした種々の受信信号のための並列ハードウェア処理パスは、大規模なハードウェアでの実現を必要とする。
【発明の開示】
【発明が解決しようとする課題】
【０００４】
したがって、本発明の目的は、上記従来技術の問題を克服する方策を提供することである。
【課題を解決するための手段】
【０００５】
少なくとも上記目的は、本発明の第１の態様により、レシーバ、ディローテータ、復調器及びプロセッサを有する移動通信装置であって、前記レシーバは、前記ディローテータと接続され、前記ディローテータは前記復調器に接続され、コントローラは前記レシーバ、ディローテータ及び復調器に接続され、前記ディローテータは、時空間符号化に基づく送信ダイバーシティ送信モードにおけるプライマリ共通制御物理チャネルを処理する第１の手段と、パイロットシンボルを処理する第２の手段と、クローズドループ送信モードにおけるシンボルを処理する第３の手段と、時間的に整然とされた順序で前記復調器にシンボルを出力する第４の手段と、を有し、前記第１、第２、第３及び第４の手段は、直列に接続されている、装置によって達成される。
【０００６】
直列に接続されるディローテータ手段の特有の効果は、全ての伝送モードにおける全ての信号タイプが１つのユニバーサルディローテータにより処理されることが可能となることである。
【０００７】
前記第１の手段は、時空間符号化に基づく送信ダイバーシティ送信モードにおけるプライマリ共通制御物理チャネルに関連したシンボル以外のシンボルに対しトランスペアレントとすることができる。前記第１の手段は、時空間符号化に基づく送信ダイバーシティ送信モードにおける各スロットに係るプライマリ共通制御物理チャネルに関連した第１のシンボルを削除するように構成されてもよい。
【０００８】
前記第２の手段は、パイロットシンボル以外のシンボルに対しトランスペアレントとすることができる。前記第３の手段は、クローズドループ送信モード以外の送信モードにおいてトランスペアレントとすることができる。
【０００９】
トランスペアレントに関する特徴の特有の効果は、ディローテータの汎用性に関係し、各手段が必要とされるものだけ当該ディローテーションに寄与することができるようになることである。
【００１０】
前記ディローテータは、複数の２ポジションスイッチを有するものとしてもよい。この特徴の特有の効果は、複数のスイッチによる当該受信信号の処理に関係し、これにより、チップ領域の必要量の削減、制御信号授受の簡素化及び低消費電力化の施された実現が可能となる。
【００１１】
本発明の特有の効果は、唯１つのハードウェア処理パスしか実現する必要がない点である。
【００１２】
少なくとも上記目的は、本発明の第２の態様により、
移動通信装置における受信シンボルの循環解除方法であって、
時空間符号化に基づく送信ダイバーシティ送信モードにおけるプライマリ共通制御物理チャネルを処理するステップと、
パイロットシンボルを処理するステップと、
クローズドループ送信モードにおけるシンボルを処理するステップと、
時間的に整然とされた順序でシンボルを出力するステップと、
を有する方法によって達成される。
【００１３】
受信シンボルを循環解除させるための方法の特有の効果は、全ての伝送モードにおける全ての信号タイプが循環解除（ディローテーション）のための１つの汎用の方法により処理可能であることである。
【００１４】
前記時空間符号化に基づく送信ダイバーシティ送信モードにおけるプライマリ共通制御物理チャネルを処理するステップは、時空間符号化に基づく送信ダイバーシティ送信モードにおける各スロットのプライマリ共通制御物理チャネルに関連した第１のシンボルを削除することを含むようにしてもよい。
【００１５】
前記パイロットシンボルを処理するステップは、
２つのパイロットシンボルを加算するステップと、
前記２つのパイロットシンボルの加算値を２で除算するステップと、
により圧縮モードを処理することを含むようにしてもよい。
【００１６】
前記シンボルを出力するステップは、送信ダイバーシティが存在するときに当該シンボルを２で除算することを含むようにしてもよい。この特徴の特有の効果は、伝送多様性の存在とは独立して出力シンボルのダイナミックレンジが一定である点である。
【発明を実施するための最良の形態】
【００１７】
図１は、モバイルテレコミュニケーションシステム（例えばＵＭＴＳシステム）の一部を示しており、第１のアンテナ１０２及び第２のアンテナ１０４を含む幾つかの構成部を備えたトランスミッタ１００を有する。トランスミッタ１００はまた、第１及び第２のアンテナ１０２，１０４に信号を供給するように構成されたダイバーシティエンコーダ１０６を有する。ダイバーシティエンコーダ１０６は、多数の信号タイプ１０８，１１０，１１２を入力し、以下にさらに詳しく説明するＵＭＴＳ Ｒ９９仕様に準拠した適切なシンボルを、第１のアンテナ１０２に関連づけられた第１の拡散器（スプレッダ）１１４と第２のアンテナ１０４に関連づけられた第２の拡散器（スプレッダ）１１６とに出力するように構成されている。第１及び第２の拡散器１１４，１１６は、第１及び第２のアンテナ１０２，１０４によるユーザ機器（ＵＥ）１２０への伝送前に信号を拡散するために、チャネリングコード及び長スクランブルコード（ここでは簡明に示す目的でコード１１８として示される）が供給される。
【００１８】
ＵＭＴＳ Ｒ９９仕様によれば、ダウンリンク伝送における送信ダイバーシティについて４つの伝送モードが設けられる。通常伝送モードは、何ら伝送ダイバーシティが呈されないものの、１つの伝送ダイバーシティモードと考えられる。
【００１９】
時空間ブロック符号化に基づく送信ダイバーシティ（ＳＴＴＤ）とも呼ばれるオープンループ送信ダイバーシティでは、当該ＵＥがアンテナの個々のチャネル推定値を得ることを可能とするように２つのアンテナから異なるシンボルが与えられる。
【００２０】
第３及び第４伝送モードは、クローズドループ送信ダイバーシティモードであり、第３の送信モードが、フィードバックモード１（ＦＢＭ１）とも呼ばれているクローズドループ送信モード１である。ＵＥは、ノードＢに重み（係数）を送り、各アンテナに送信されたシンボルに重みを乗じる。ＦＢＭ１において、アンテナの重みは、当該アンテナのうちの１つの重みが一定の正規化された値となるように正規化される。
【００２１】
第４のモードは、フィードバックモード２（ＦＢＭ２）とも呼ばれるクローズドループ送信モード２であり、当該重みにおいて位相情報もある点でＦＢＭ１とは異なる。ＦＢＭ１及びＦＢＭ２において、重みの乗算とは別に同じシンボルが時間的に整然とされた順序で両方のアンテナにより送られる。
【００２２】
図２は、ＵＥ２００の概略ブロック図を示しており、このＵＥは、アンテナ２０２、レシーバ２０３、ディローテータ２０６、復調器２０８、上層アプリケーションブロック２１０及び中央処理器２１２を有する。アンテナ２０２は、ノードＢから伝送された信号を受信するように構成されている。アンテナ２０２は、レシーバ２０３に接続されており、逆拡散器２０４を有する。この信号は、チャネリングコード及び長スクランブルコード（ここでは簡明に示すためコード２１４と示している）により逆拡散器２０４によって逆拡散される。逆拡散信号２１６は、ディローテータ２０６に供給される。ディローテータ２０６は、循環解除された信号２１８を生成するように、以下に説明されるようにして、種々の送信モードを処理するように構成される。循環解除された信号２１８は、上層アプリケーションブロック２１０に供給される受信情報２２０を復調するための復調器２０８に供給される。上層アプリケーションブロック２１０は、ＵＥにおいて構成要素とされる他の全ての部分のための包括的名称であり、簡明に説明するためにこれ以上の説明はしない。ＣＰＵ２１２は、ＵＥの機能全体を制御するように構成され、ディローテータ２０６、復調器２０８及び上層アプリケーションブロック２１０は、制御信号２２２により制御される。このＣＰＵは、例えば時刻Ｔ１〜Ｔ４によりパイロットビットを指し示すカウンタと、圧縮モードスロットフォーマットインジケータと、伝送モードインジケータと、当該２つの送信アンテナのためのチャネル推定値及び重みと、スロット及びフレームのカウンタと、使用パイロットビットの数とを提供する。ＣＰＵは、単一のブロックで示されているが、１つ以上の物理的処理ユニットを有してもよいことは勿論である。ディローテータ２０６の機能は、ＣＰＵ２１２からの制御信号２２４により制御される。
【００２３】
図３は、本発明によるレシーバの構成要素であるディローテータ３００のブロック図を示している。ディローテータ３００は、逆拡散データ３０２と、送信側における第１のアンテナのためのチャネルモデル３０４と、送信側における第２のアンテナのためのチャネルモデル３０６と、クローズドループ送信モーでにおける第１のアンテナに関連づけられた第１の重みｗ１の３０８と、クローズドループ送信モードにおける第２のアンテナに関連づけられた第２の重みｗ２の３１０と、複数の制御信号３１２とが供給される。ディローテータ３００は、循環解除されたシンボル３１４を出力するように構成される。ディローテータ３００、入力信号３０２，３０４，３０６，３０８，３１０，３１２及びディローテータ３００の機能は、以下により詳しく説明される。
【００２４】
図４は、図３のディローテータ３００のブロック図を示している。ディローテータ４００は、プライマリ共通制御物理チャネル（Ｐ−ＣＣＰＣＨ；Primary Common Control Physical Channel）の特定の特性を処理するブロック４０２を有する。このディローテータはまた、パイロットディローテータサブブロック４０６とディローテータサブブロック４０８とを有する第１のディローテータブロック４０４を有する。ディローテータ４００はさらに、第２のディローテータブロック４１０を有する。
【００２５】
Ｐ−ＣＣＰＣＨプロセッサブロック４０２には、逆拡散シンボル４１２が供給される。Ｐ−ＣＣＰＣＨプロセッサブロック４０２は、拡散シンボル４１２を処理するように構成されており、Ｐ−ＣＣＰＣＨブロックからの出力シンボル４１４が、ＳＴＴＤを用いてＰ−ＣＣＰＣＨ送信から逆拡散シンボル４１２が出た場合に、後続のブロック４０４，４１０により普通に処理されることを可能としている。ＳＴＴＤを用いてＰ−ＣＣＰＣＨ送信から逆拡散シンボル４１２が出ない場合、Ｐ−ＣＣＰＣＨプロセッサブロック４０２は、逆拡散シンボル４１２を処理するように構成され、Ｐ−ＣＣＰＣＨブロックからの出力シンボル４１４が、Ｐ−ＣＣＰＣＨプロセッサブロック４０２の入力において逆拡散シンボル４１２と一致したものとなるようにしている。Ｐ−ＣＣＰＣＨプロセッサブロック４０２は、以下にさらに説明される。
【００２６】
パイロットディローテータサブブロック４０６には、Ｐ−ＣＣＰＣＨプロセッサブロック４０２からの出力シンボル４１４、第１のアンテナに関連付けられたチャネル推定値４１６、第２のアンテナに関連付けられたチャネル推定値４１８、送信ダイバーシティ表示信号４２０及び圧縮モードスロットフォーマットタイプインジケータ４２２が供給される。パイロットディローテータサブブロック４０６に対しては、複数のパラメータ、制御信号及び関数も供給され、これについては以下にさらに詳しく説明する。パイロットディローテータサブブロック４０６の出力４２４は、ディローテータサブブロック４０８に供給される。
【００２７】
ディローテータサブブロック４０８には、パイロットディローテータサブブロック４０６の出力４２４、クローズドループ送信モードにおける第１アンテナが関連づけられた第１の重みｗ１の４２６、クローズドループ送信モードにおける第２アンテナが関連づけられた第２の重みｗ２の４２８、及び送信ダイバーシティ表示信号４２０が供給される。ディローテータサブブロック４０８に対しては、複数のパラメータ、制御信号及び関数も供給され、これについては以下にさらに詳しく説明する。ディローテータサブブロック４０８の出力４３０は、第２のディローテータサブブロック４１０に供給される。
【００２８】
第２のディローテータサブブロック４１０には、ディローテータサブブロック４０８の出力４３０及び送信ダイバーシティ表示信号４２０が供給される。第２のディローテータブロック４１０に対しては、複数のパラメータ、制御信号及び関数も供給され、これについては以下にさらに詳しく説明する。第２のディローテータブロック４１０の出力４３２は、循環解除されたシンボルを有するものであり、復調器に供給される。
【００２９】
図５は、図４のＰ−ＣＣＰＣＨプロセッサブロック４０２を示している。Ｐ−ＣＣＰＣＨプロセッサブロック５００には、逆拡散シンボル５０２が供給される。逆拡散シンボル５０２がＳＴＴＤ、すなわちＳＴＴＤ送信モードを示す送信ダイバーシティ表示信号（図５には示されていない）を用いたＰ−ＣＣＰＣＨ送信から発せられる場合、第１のＰ−ＣＣＰＣＨプロセッサ制御信号５０４は、第２のＰ−ＣＣＰＣＨプロセッサスイッチ５１０に結合される出力５０８に逆拡散シンボル５０２を接続すること第１のＰ−ＣＣＰＣＨプロセッサスイッチ５０６にさせるように構成される。或いは、第１のＰ−ＣＣＰＣＨプロセッサ制御信号５０４は、Ｐ−ＣＣＰＣＨプロセッサの出力５１２に逆拡散シンボル５０２を接続することを第１のＰ−ＣＣＰＣＨプロセッサスイッチ５０６にさせるに構成される。すなわち、Ｐ−ＣＣＰＣＨプロセッサブロック５００は、逆拡散シンボル５０２を処理し、Ｐ−ＣＣＰＣＨブロックからの出力シンボル５１２がＰ−ＣＣＰＣＨプロセッサブロック５００の入力における逆拡散シンボル５０２と一致するようにしている。
【００３０】
第２のＰ−ＣＣＰＣＨプロセッサ制御信号５１４は、１０の倍数である各シンボル５１６（各スロットにおける最初のシンボル）をダンプ５１８に出力し、このシンボルの間は後続のユニット（スイッチ，タイマ，制御信号）の全てをフリーズすることを第２のＰ−ＣＣＰＣＨプロセッサスイッチ５１０にさせるように構成される。これは、当該送信がこのシンボルの間オフに切り換わっているからである。これは、シンボルカウンタ（図５には示されない）により制御される。かくして、Ｐ−ＣＣＰＣＨ出力シンボル５２０は、ＳＴＴＤ送信モードにおいて後続のブロックにより普通に処理可能である。
【００３１】
図６は、図４のパイロットディローテータサブブロック４０６を示している。パイロットサブブロック６００には、図５におけるＰ−ＣＣＰＣＨプロセッサブロック５００から、データや、送信パワー制御（ＴＰＣ；Transmit Power Control）、送信フォーマットコンビネーションインジケータ（ＴＦＣＩ；Transport Format Combination Indicator）などの非パイロットシンボル６０４及びパイロットシンボル６０２が供給される。このパイロットディローテータサブブロックは、非パイロットシンボル６０４に対して透明性すなわちトランスペアレントなものであり、かかるシンボルは、パイロットディローテータサブブロックの出力６０６に直接送られる。パイロットシンボル６０２は、第１のスイッチ６０８に送られ、このスイッチは、第１の制御信号６１０により制御される。
【００３２】
第１の制御信号６１０は、圧縮モードでない場合、スイッチ６０８に対し第２のスイッチ６１２に直接、パイロットシンボルを送るように指示するように構成される。第１の制御信号６１０も、圧縮モードの場合に当該シンボルをパイロットシンボル加算器６０９に送るようにスイッチ６０８を指示するように構成され、かかる加算器は、後続の２つのパイロットシンボルを加算するように構成される。この加算されるパイロットシンボルは、その後にビットシフタ６１１に送られる。加算されたパイロットシンボルは、２で割られる。すなわち、当該ビットがビットシフタ６１１において右に１ポジションシフトされ、そのシフトされた結果が第２のスイッチ６１２に送られる。この態様において、パイロットビットの圧縮モードは、２で割られたパイロットビットの数により非圧縮モードの等価なものに変換される。換言すれば、圧縮モードにあった場合、第１のスイッチ６０８、パイロットシンボル加算器６０９及びビットシフタ６１１の後において、３２ビットは１６ビットとなり、１６ビットは８ビットとなり、８ビットは４ビットとなり、４ビットは２ビットとなる。
【００３３】
第２の制御信号６１４は、送信ダイバーシティ表示信号がノーマルすなわちＦＢＭ２送信モードを示しているときに出力６０６に当該パイロットシンボルを送るように第２スイッチ６１２を指示するように構成される。第２制御信号６１４はまた、送信ダイバーシティ表示信号がＳＴＴＤ送信モードを示しパイロットビットの数が２又は４であるときに出力６０６へ当該パイロットシンボルを送るように第２スイッチ６１２を指示するように構成される。第２制御信号６１４はまた、送信ダイバーシティ表示信号がＦＢＭ１送信モードを示してパイロットビットの数が４であるときに当該パイロットシンボルを出力６０６に送るように第２のスイッチ６１２を指示するように構成される。第２の制御信号６１４はまた、送信ダイバーシティ表示信号がＳＴＴＤ又はＦＢＭ１送信モードを示してパイロットビットの数が８又は１６であるときに第３のスイッチ６１６に当該パイロットシンボルを送るように第２のスイッチ６１２を指示するように構成される。
【００３４】
第３スイッチ６１６は、第３制御信号６１８により制御される。第３制御信号６１８は、時刻がＴ１又はＴ３であるときに出力６０６に当該パイロットシンボルを送るように第３のスイッチ６１６を指示するように構成される。第３制御信号６１８は、時刻がＴ２又はＴ４であるときにバッファに当該パイロットシンボルを送るように第３のスイッチ６１６を指示するように構成される。バッファ６２２の出力は、出力６０６に接続される。
【００３５】
図６に関連して記述された機能は、本発明による好適実施例であり、ＵＭＴＳ Ｒ９９仕様によるパイロットシンボルの循環解除（derotation）を扱うものである。但し、上記の例示による循環解除の原則は、ＵＭＴＳ Ｒ９９仕様に限定されず、いずれのテレコミュニケーション規格にも適合可能である。
【００３６】
図７は、図４のディローテータサブブロック４０８を示している。ディローテータサブブロック７００は、複数の制御信号７１８，７２０，７２２，７２４，７２６，７２８，７３２により制御される複数のスイッチ７０２，７０４，７０６，７０８，７１０，７１２，７１６を有する。このディローテータサブブロックはさらに、複数の乗算器７３４，７３６，７３８，７４０，７４２，７４４，７４８を有する。好ましい実施例においては、制御信号７１８，７２０，７２２，７２４，７２６及び７２８の値は等しい。
【００３７】
第１スイッチ７０２には、第２の送信アンテナ（図１の１０４）のための共役の第１のチャネルモデル７５０の推定値が供給される。第１の制御信号７１８は、送信モードがＦＢＭ１又はＦＢＭ２であるときに第２のトランスミッタアンテナの共役の第１のチャネルモデル７５０の推定値が第１の乗算器７３４に切り換えられるように構成される。第１の乗算器７３４は、第２の送信アンテナの共役の第１チャネルモデル７５０の推定値をクローズドループ送信モードにおける第２のアンテナに関連づけられた重み７５２と乗算するように構成され、その乗算結果が出力７５４に供給される。第１制御信号７１８は、送信モードがノーマル（Normal）又はＳＴＴＤであるときに第２の送信アンテナの共役の第１チャネルモデル７５０の推定値が出力７５４に切り換えられるように構成される。
【００３８】
第２スイッチ７０４には、第２送信アンテナ（図１の１０４）の第１チャネルモデル７５６の推定値が供給される。第２制御信号７２０は、送信モードがＦＢＭ１又はＦＢＭ２であるときに第２送信アンテナの第１チャネルモデル７５６の推定値が第２の乗算器７３６に切り換えられるように構成される。第２の乗算器７３６は、第２送信アンテナの第１のチャネルモデル７５６の推定値をクローズドループ送信モードにおける第２のアンテナに関連づけられた共役の重み７５８と乗算するように構成され、その乗算結果が出力７６０となる。第２制御信号７２０は、送信モードがノーマル（Normal）又はＳＴＴＤであるときに第２送信アンテナの第１チャネルモデル７５６の推定値が出力７６０に切り換えられるように構成される。
【００３９】
第３スイッチ７０６は、第１の送信アンテナ（図１の１０２）の第１チャネルモデル７６２の推定値が供給される。第３制御信号７２２は、送信モードがＦＢＭ１又はＦＢＭ２であるときに第１送信アンテナの第１チャネルモデル７６２の推定値が第３の乗算器７３８に切り換えられるように構成される。第３の乗算器７３８は、第１送信アンテナの第１のチャネルモデル７６２の推定値をクローズドループ送信モードにおける第１のアンテナに関連づけられた共役の重み７６４と乗算するように構成され、その乗算結果が出力７６６となる。第３制御信号７２２は、送信モードがノーマル（Normal）又はＳＴＴＤであるときに第１送信アンテナの第１チャネルモデル７６２の推定値が出力７６６に切り換えられるように構成される。
【００４０】
第４スイッチ７０８は、第２の送信アンテナ（図１の１０４）の共役の第２チャネルモデル７６８の推定値が供給される。第４制御信号７２４は、送信モードがＦＢＭ１又はＦＢＭ２であるときに第２送信アンテナの共役の第２チャネルモデル７６８の推定値が第４の乗算器７４０に切り換えられるように構成される。第４の乗算器７４０は、第２送信アンテナの共役の第２のチャネルモデル７６８の推定値をクローズドループ送信モードにおける第２のアンテナに関連づけられた重み７７０（重み７５２と等しい）と乗算するように構成され、その乗算結果が第５の乗算器７４８に供給される。第４制御信号７２４は、送信モードがノーマル（Normal）又はＳＴＴＤであるときに第２送信アンテナの共役の第２チャネルモデル７６８の推定値が第５の乗算器７４８に切り換えられるように構成される。送信モードがノーマル、ＳＴＴＤ又はＦＢＭ１であるときに、第２送信アンテナの共役の第２チャネルモデル７６８の重みづけされた又は重みづけされていない推定値は、第５の乗算器７４８において−１が乗ぜられる。或いは、第２の送信アンテナの共役の第２チャネルモデル７５０の重み付けされた又は重み付けされていない推定値は、第５の乗算器７４８において１が乗ぜられる。乗算器７４８からの結果７７２は出力される。
【００４１】
第６スイッチ７１０には、第１の送信アンテナ（図１の１０２）の第２チャネルモデル７７４の推定値が供給される。第６制御信号７２６は、送信モードがＦＢＭ１又はＦＢＭ２であるときに第１送信アンテナの第２チャネルモデル７７４の推定値が第６の乗算器７４２に切り換えられるように構成される。第６の乗算器７４２は、第１送信アンテナの第２のチャネルモデル７７４の推定値をクローズドループ送信モードにおける第１のアンテナに関連づけられた共役の重み７７６と乗算するように構成され、その乗算結果が出力７７８となる。第６制御信号７２６は、送信モードがノーマル（Normal）又はＳＴＴＤであるときに第１送信アンテナの第２チャネルモデル７７４の推定値が出力７７８に切り換えられるように構成される。
【００４２】
第７スイッチ７１２には、第２の送信アンテナ（図１の１０４）の第２チャネルモデル７８０の推定値が供給される。第７制御信号７２８は、送信モードがＦＢＭ１又はＦＢＭ２であるときに第２送信アンテナの第２チャネルモデル７８０の推定値が第７の乗算器７４４に切り換えられるように構成される。第７の乗算器７４４は、第２送信アンテナの第２のチャネルモデル７８０の推定値をクローズドループ送信モードにおける第２のアンテナに関連づけられた共役の重み７８２で乗算するように構成され、その乗算結果が出力７８４となる。第７制御信号７２８は、送信モードがノーマル（Normal）又はＳＴＴＤであるときに第２送信アンテナの第２チャネルモデル７８０の推定値が出力７８４に切り換えられるように構成される。
【００４３】
図８は、図４の第２ディローテータブロック４１０の第１の部分を示している。第２ディローテータブロックの第１の部分８００は、複数の制御信号８１８，８２０，８２２，８２４，８２６，８２８，８３０，８３２によって制御される複数のスイッチ８０２，８０４，８０６，８０８，８１０，８１２，８１４，８１６を有する。好ましい実施例においては、制御信号８１８，８２０，８２２，８２８，８３０及び８３２の値は等しく、制御信号８２４及び８２６の値が等しい。第２ディローテータブロックの第１の部分８００はさらに、複数の共役化器８３４，８３６，８３８，８４０と複数の乗算器８４２，８４４，８４６，８４８，８５０，８５２とを有する。
【００４４】
制御信号８１８，８２０，８２２，８２８，８３０，８３２は、パイロットフィールドが存在し伝送モードがＦＢＭ２であるとき、パイロットフィールドが存在し送信モードがＳＴＴＤ又はＦＢＭ１であるとき、パイロットビットの数が８又は１６であるとき、及び時刻がＴ１又はＴ３であるとき、又はパイロットフィールドが存在せず送信モードがＦＢＭ１又はＦＢＭ２であるとき、第１状態に応じて、スイッチ８０２，８０４，８０６，８１２，８１４，８１６が切り替わるようにするよう構成される。或いは、制御信号８１８，８２０，８２２，８２８，８３０，８３２は、第２の状態に応じて、スイッチ８０２，８０４，８０６，８１２，８１４，８１６が切り替わるように構成される。ＳＴＴＤによるＰ−ＣＣＰＣＨの送信の場合、制御信号８１８，８２０，８２２，８２８，８３０及び８３２は、当該スイッチが第１の状態に応じて全て切り換わるようにされているとき、各フレームの最後のシンボルを除いて、第２状態に応じてスイッチ８０２，８０４，８０６，８１２，８１４，８１６を切り換えるように常に構成される。
【００４５】
制御信号８２４，８２６は、パイロットフィールドが存在し送信モードがＦＢＭ２であるとき、パイロットフィールドが存在し送信モードがＳＴＴＤ又はＦＢＭ１であるとき、及びパイロットビットの数が２，４，８又は１６であるとき又はパイロットフィールドが存在せず送信モードがＦＢＭ１又はＦＢＭ２であるとき、第１状態に応じて、スイッチ８０８，８１０が切り替わるように構成される。或いは、制御信号８２４，８２６は、第２の状態に応じて、スイッチ８０８，８１０が切り替わるように構成される。ＳＴＴＤによるＰ−ＣＣＰＣＨの送信の場合、制御信号８２４及び８２６は、第１の状態に応じてスイッチ８０８，８１０を切り換えるように常に構成される。
【００４６】
第１スイッチ８０２には、図７のディローテータサブブロックの出力信号７５４，７６０が供給される。第１スイッチ８０２は、第１状態にあるときは入力信号８５８（図７における出力信号７５４と同等である）を、第２状態にあるときは入力信号８６０（図７における出力信号７６０と同等である）を出力するように構成される。
【００４７】
第２スイッチ８０４には、共役の第１シンボル８６２及び第２のシンボル８６４が供給される。第２スイッチ８０４は、第１状態にあるときは共役の第１シンボル８６２を、第２状態にあるときは第２シンボル８６４を出力するよう構成される。
【００４８】
第３スイッチ８０６には、図７のディローテータサブブロックの出力７６６，７７８が供給される。第３スイッチ８０６は、第１状態にあるときは入力信号８６６（出力信号７６６と同等である）を、第２状態にあるときは入力信号８６８（出力信号７７８と同等である）を出力するよう構成される。
【００４９】
第４スイッチ８０８には、第１シンボル８７０及び第２シンボル８７２が供給される。第４スイッチ８０８は、第１状態にあるときは入力シンボル８７０を、第２状態にあるときは第２シンボル８７２を出力するよう構成される。
【００５０】
第５スイッチ８１０には、第２シンボル８７４及び第１シンボル８７６が供給される。第５スイッチ８１０は、第１状態にあるときは第２シンボル８７４を、第２状態にあるときは第１シンボル８７６を出力するよう構成される。
【００５１】
第６スイッチ８１２には、図７のディローテータサブブロックの出力信号７７８，７６６が供給される。第６スイッチ８１２は、第１状態にあるときは入力信号８７８（出力信号７７８と同等である）を、第２状態にあるときは入力信号８８０（出力信号７６６と同等である）を出力するよう構成される。
【００５２】
第７スイッチ８１４には、図７のディローテータサブブロックの出力信号７７２，７８４が供給される。第７スイッチ８１４は、第１状態にあるときは入力信号８８２（出力信号７７２と同等である）を、第２状態にあるときは入力信号８８４（出力信号７８４と同等である）を出力するよう構成される。
【００５３】
第８スイッチ８１６には、共役の第２シンボル８８６及び反転の第１シンボル８８８が供給される。第８スイッチ８１６は、第１状態にあるときは共役の第２シンボル８８６を、第２状態にあるときは反転の第１シンボル８８８を出力するよう構成される。
【００５４】
第１スイッチ８０２の出力は、第１の共役化器８３４に供給され、その共役結果が第１の乗算器８４２に供給される。第２スイッチ８０４の出力は、第２の共役化器８３６に供給され、その共役結果が第１の乗算器８４２に供給される。その乗算結果は、第２の乗算器８４６に供給される。
【００５５】
第３及び第４スイッチ８０６，８０８からの出力は、第３の乗算器８４４に供給され、その乗算結果が第２の乗算器８４６に供給される。第２の乗算器８４６からの乗算結果は、第２ディローテータブロックの第１部分８００の第１出力８５４となる。
【００５６】
第５及び第６スイッチ８１０，８１２からの出力は、第４の乗算器８４８に供給され、その乗算結果が第５の乗算器８５０に供給される。
【００５７】
第７スイッチ８１４からの出力は、第３の共役化器８３８に供給され、その共役結果が第６の乗算器８５２に供給される。第８スイッチ８１６からの出力は、第４の共役化器８４０に供給され、その共役結果が第６の乗算器８５２に供給される。その乗算結果は第５の乗算器８５０に供給される。第５の乗算器８５０からの乗算結果は、第２のディローテータブロックの第１部分８００の第２の出力８５６となる。
【００５８】
図９は、図４の第２ディローテータブロック４１０の第２の部分を示している。この第２ディローテータブロックの第２の部分９００は、複数のスイッチ９０２，９０４，９０８，９１０，９１２，９１４，９１８を有し、これらスイッチは、複数の制御信号９２０，９２２，９２６，９２８，９３０，９３２，９３４により制御される。第２ディローテータブロックの第２の部分９００はさらに、第１及び第２のシフタ９３８，９４０と、第１及び第２の主出力レジスタ９４６，９４８と、第１及び第２の副出力レジスタ９５０，９５２を有する。
【００５９】
第１スイッチ９０２には、図８の第２ディローテータブロックの第１の部分の出力８５４が供給される。第１制御信号９２０は、少なくとも１つのレイクレシーバにおいて送信ダイバーシティがあるときに第１スイッチ９０２の入力９５４（図８の出力信号８５４と同等）を第１シフタ９３８に切り換えるように構成され、そうでないときは第１スイッチ９０２の入力９５４は、第２スイッチ９０４に切り換えさせられる。第１シフタ９３８は、第１スイッチの出力を１ビット右へシフトする、すなわち１つの最下位ビットを落とすように構成される。第１シフタ９３８の出力は、第２のスイッチ９０４に供給される。
【００６０】
第２スイッチ９０４は、第２制御信号９２２によって、パイロットフィールドが存在し送信モードがＳＴＴＤ又はＦＢＭ１であるとき、及びパイロットビット数が８又は１６であるときに、その入力を循環解除されたパイロットシンボル出力９５６に切り換えさせられる。そうでないときは、第２スイッチ９０４は、第２制御信号９２２によってその入力を第４スイッチ９０８に切り換えさせられる。
【００６１】
第３スイッチ９０８は、第３制御信号９２６によって、送信モードがＳＴＴＤであるときにその入力を第１の主レジスタ９４６に切り換えるようにさせられ、そうでないときは、第２の主レジスタ９４８に切り換えるようにさせられる。
【００６２】
第４スイッチ９１２には、図８の第２ディローテータブロックの第１の部分の出力８５６が供給される。第４の制御信号９３０は、送信ダイバーシティが少なくとも１つのレイクレシーバにおいて存在するときに第４スイッチ９１２の入力９５８（図８の出力信号８５６と同等）を第２のシフタ９４０に切り換えるように構成され、そうでないときは、第４スイッチ９１２は、入力９５８を第５のスイッチ９１４に切り換えるようにさせられる。第２のシフタ９４０は、第４スイッチの出力を１ビット右へシフト、すなわち１つの最下位ビットを落とすように構成される。第２のシフタ９４０の出力は、第５スイッチ９１４に供給される。
【００６３】
第５スイッチ９１４は、第５の制御信号９３２によって、パイロットフィールドが存在し送信モードがＳＴＴＤ又はＦＢＭ１であるとき、及びパイロットビットの数が８又は１６のときにその入力を循環解除されたパイロットシンボル出力９５６に切り換えるようにさせられる。そうでないときは、第５のスイッチ９１４は、第５制御信号９３２によってその入力を第６のスイッチ９１８に切り換えるようにされる。
【００６４】
第６スイッチ９１８は、第６制御信号９３４によって、送信モードがＳＴＴＤであるときにその入力を第２の主レジスタ９４８に切り換えるようにされ、そうでないときは、第１の主レジスタ９４６に切り換えるようにされる。
【００６５】
第１の主レジスタ９４６の出力は、第１の副レジスタ９５０に供給される。第２の主レジスタ９４８の出力は、第２の副レジスタ９５２に供給される。第１及び第２の副レジスタの複合出力は、第９スイッチ９１０に供給される。
【００６６】
第７スイッチ９１０は、第７制御信号９２８により、ＳＴＴＤによるＰ−ＣＣＰＣＨの送信が存在するときにその入力をダンプ９６０に切り換えるようにされる。そうでないときは、第７スイッチ９１０は、第７制御信号９２８により、循環解除されたシンボル出力９６２に当該入力を切り換えるようにされる。
【００６７】
なお、好適実施例においては、出力の循環解除されたパイロットシンボルは、それらが伝送された順序でディローテータを出るのではなく、１番目，３番目，２番目，４番目の順で出る。これは、復調において考慮に入れられることになる。他の順番も可能であり、原則として時間的に整然とされた所定の順序も使用可能である。
【００６８】
また、図１ないし図９に関連して上述した種々のブロックは機能的ブロックであり、必ずしも１対１の関係で実際のハードウェアユニットに対応するものではない。当業者なら気づくことになるが、図１ないし９のブロックにおいて備えられる機能は、全体的又は部分的に、プログラマブル回路及び非プログラマブルな回路の混合の形態で１つ又は２つ以上の集積回路に含まれるものとすることができる。
【００６９】
図１０は、受信シンボルを循環解除する方法を示している。Ｐ−ＣＣＰＣＨ処理ステップ１００２は、図１１とともに以下に説明されるように、ＳＴＴＤの間にＰ−ＣＣＰＣＨシンボルの特定の特性を処理する。パイロットシンボルプリディローテーションステップ１００４は、図１２とともに以下に説明されるように、パイロットシンボルを予め循環解除し、非パイロットシンボルと一緒にさらなる処理を行うことを可能とする。プリディローテーションステップ１００６は、図１３とともに以下に説明されるように種々の送信モード及びシンボルタイプに応じてチャネル推定値を処理する。ディローテーションステップ１００８は、図１４とともに以下に説明されるように、最終的に受信シンボルを循環解除しその循環解除されたシンボルを時間的順序に従い出力する。
【００７０】
図１１は、図１０の処理ステップ１００２を示している。この処理ステップは、判定ステップ１１０２及びシンボルダンプステップ１１０４を有する。判定ステップ１１０２は、Ｐ−ＣＣＰＣＨシンボルがＳＴＴＤ送信モードにおいて送られているかどうかを判定する。送られていれば、送信はオフに切り換えられているので、現スロットの最初のシンボルはダンプされる。そうでなければ、動作は行われない。
【００７１】
図１２は、図１０のパイロットシンボルプリディローテーションステップ１００４を示している。パイロットシンボル判定ステップ１２０２は、パイロットフィールドが存在しているか否かを判定する。存在していなければ、何ら動作せず、当該方法は、図１０のプリディローテーションステップ１００６を継続する。存在していれば、当該方法は、送信モード判定ステップ１２０４に続き、ここで送信モードがノーマル又はＦＢＭ２かを判定する。ノーマル又はＦＢＭ２である場合は、何ら動作が行われず、当該方法は、図１０のプリディローテーションステップ１００６を継続する。そうでない場合は、当該方法は、第１の特定ケース判定ステップ１２０６に続く。かかる第１特定ケース判定ステップ１２０６は、送信モードがＳＴＴＤであり２つ又は４つのパイロットビットが用いられているかどうかを判定する。そうであれば、何ら動作が行われず、当該方法は、図１０のプリディローテーションステップ１００６を継続する。そうでなければ、当該方法は、第２特定ケース判定ステップ１２０８に続く。第２特定ケース判定ステップ１２０８は、送信モードがＦＢＭ１であり４パイロットビットが用いられているかどうかを判定する。そうであれば、何ら動作が行われず、当該方法は、図１０のプリディローテーションステップ１００６を継続する。そうでなければ、当該方法は、第３特定ケース判定ステップ１２１２に続く。第３特定ケース判定ステップ１２１２は、時刻がＴ１又はＴ３かを判定する。そうであれば、何ら動作は行われず、当該方法は、図１０のプリディローテーションステップ１００６を継続する。そうでなければ、シンボルバッファリングステップ１２１８においてシンボルがバッファ処理される。その後、当該方法は、図１０におけるプリディローテーションステップ１００６を継続する。
【００７２】
図１３は、図１０のプリディローテーションステップ１００６を示している。送信モード判定ステップ１３０２は、送信モードがＦＢＭ１又はＦＢＭ２であるかどうか、すなわちクローズドループ送信モードかどうかを判定する。そうであれば、チャネル推定値重み付けステップ１３０８が行われ、第１及び第２の送信アンテナのチャネル推定値が当該アンテナに関連づけられた第１及び第２の重みでそれぞれ乗算される。その後、或いはクローズドループ送信モードがステップ１３０２において判定されない場合、当該方法は終了する。
【００７３】
図１４は、図１０のディローテーションステップ１００８を示している。ダイバーシティ判定ステップ１４０２は、少なくとも１つのレイクレシーバが送信ダイバーシティで動作しているかどうかを判定する。ダイバーシティが判定された場合、最下位ビット（ＬＳＢ）落としステップ１４０４が行われ、１ビットが中間信号（図８の信号８５４，８５６、図９の信号９５４，９５８）の右へシフトする。すなわちＬＳＢが落とされ、ディローテータ出力の原動力を維持すなわち異なる送信モードにつき同じ語長を保つことになる。その後、或いは送信ダイバーシティで動作していない場合、当該方法は、特定ケース判定ステップ１４０６に続く。特定ケース判定ステップ１４０６は、送信モードがＳＴＴＤ又はＦＢＭ１か、パイロットフィールドが存在するか、及び８つ又は１６個のパイロットビットが用いられているかを判定する。これら判断基準が満たされた場合、当該方法は終了し、その出力循環解除パイロットシンボルが与えられる。そうでない場合、当該方法は、ＳＴＴＤ判定ステップ１４１２に続く。ＳＴＴＤ判定ステップ１４１２は、送信モードがＳＴＴＤであるかどうかを判定する。ＳＴＴＤであれば、第１シンボル順序づけステップ１４１４において第１の順序でシンボルが順序づけられる。そうでなければ、第２の順序づけステップ１４１６において第２の順序でシンボルが順序づけられる。これは、ＳＴＴＤシンボルの時間切り換えによる。第１又は第２の順序づけステップの後、それぞれ、当該方法はシンボル出力ステップ１４１８に続く。シンボル出力ステップ１４１８は、例えば信号対干渉比（ＳＩＲ；Signal to Interference Ratio）推定に循環解除パイロットシンボルを出力し、他の処理及びより上の階層に他の循環解除されたシンボルを出力する。
【００７４】
結びとして、本発明は、レシーバ、ディローテータ、復調器及びプロセッサを有する移動通信装置に関する。このレシーバは、ディローテータに接続され、ディローテータは復調器に、コントローラはレシーバ，ディローテータ及び復調器に接続される。ディローテータは、時空間符号化に基づく送信ダイバーシティ送信モードにおけるプライマリ共通制御物理チャネル、パイロットシンボル、クローズドループ送信モードにおけるシンボルを処理する手段と、時間的に整然とされた順序で復調器にシンボルを出力する手段とを有する。これら手段は、汎用のディローテータを使用可能とするために直列に接続される。循環解除の方法は、ＳＴＴＤ送信モードにおけるＰ−ＣＣＰＣＨを処理するステップ、パイロットシンボルを処理するステップ、クローズドループ送信モードにおけるシンボルを処理するステップ、及びシンボルを時間的に整然とされた順序で出力するステップを有する形で提供される。
【図面の簡単な説明】
【００７５】
【図１】モバイルテレコミュニケーションシステムの一部を示す図。
【図２】ＵＥの概略ブロックを示す図。
【図３】ディローテータのブロック図。
【図４】ディローテータのブロック図。
【図５】Ｐ−ＣＣＰＣＨプロセッサのブロックを示す図。
【図６】パイロットディローテータのサブブロックを示す図。
【図７】ディローテータのサブブロックを示す図。
【図８】第２ディローテータブロックの第１の部分を示す図。
【図９】第２のディローテータブロックの第２の部分を示す図。
【図１０】受信シンボルを循環解除させる方法を示す図。
【図１１】処理ステップを示す図。
【図１２】パイロットシンボルプリディローテーションステップを示す図。
【図１３】プリディローテーションステップを示す図。
【図１４】ディローテーションステップを示す図。
【図１】
2007515888.tif 000003
【図２】
2007515888.tif 000004
【図３】
2007515888.tif 000005
【図４】
2007515888.tif 000006
【図５】
2007515888.tif 000007
【図６】
2007515888.tif 000008
【図７】
2007515888.tif 000009
【図８】
2007515888.tif 000010
【図９】
2007515888.tif 000011
【図１０】
2007515888.tif 000012
【図１１】
2007515888.tif 000013
【図１２】
2007515888.tif 000014
【図１３】
2007515888.tif 000015
【図１４】
2007515888.tif 000016
【国際調査報告】
2007515888.tif 000017
2007515888.tif 000018
2007515888.tif 000019